(57)【特許請求の範囲】
【請求項１】
下面が開口するとともに、内部に熱交換器、ドレンパン、送風機等を収容する室内ユニット本体と、
この室内ユニット本体下面の開口部を閉成し、かつ室内に露出する化粧パネルとを具備し、
前記化粧パネルは、
中央部に吸込み口が設けられ、この吸込み口の周辺部に吹出し口が設けられる矩形状のパネル本体と、
このパネル本体の各隅部に設けられる開口部と、
この開口部に開閉自在に嵌め込まれるコーナーパネルと、
このコーナーパネルを前記パネル本体の開口部に着脱するコーナーパネル着脱機構とを備え、
前記コーナーパネル着脱機構は、
中間部を支点として前記パネル本体に揺動自在に取付けられ、一方の端部に引掛け爪を有し、他方の端部に操作ねじ孔を有する揺動部材と、
この揺動部材の前記操作ねじ孔に螺合され、所定方向へ回転するのにともない揺動部材を傾斜させ、前記引掛け爪でコーナーパネル端部をパネル本体表面から突出させて取外し可能とする操作ねじと、
前記コーナーパネルに設けられ、前記操作ねじを逆方向へ回転して揺動部材を逆傾斜させるのにともない、前記引掛け爪に係合してコーナーパネルをパネル本体と同一面として取外し不可能とする係合孔と
を具備することを特徴とする空気調和装置の室内ユニット。
【請求項２】
前記操作ねじは、それ自体の進退移動が規制されていることを特徴とする請求項１記載の空気調和装置の室内ユニット。
【発明の詳細な説明】
【技術分野】
【０００１】
本発明は、例えば天井埋込み型の空気調和装置の室内ユニットに係り、特に化粧パネルの四隅部に設けられるコーナーパネルの着脱構造の改良に関する。
【背景技術】
【０００２】
一般的な天井埋込み型の空気調和装置の室内ユニットは、下部の略全面が開口する板金製のケーシングと、このケーシング内面に組み込まれる断熱材とから室内ユニット本体が構成される。室内ユニット本体内部には、熱交換器、送風機、ドレンパン、電気部品箱等が配置される。【０００３】
前記室内ユニット本体下部の開口部は、吹出し口及び吸込み口を備えた化粧パネルで閉成される。この化粧パネルは、矩形状に形成されるパネル本体を備え、その四隅部には開口部が設けられてコーナーパネルが開閉自在に嵌め込まれている。前記開口部は、室内ユニット本体の高さ位置を調整するのに必要な工具の挿入用となっている。【０００４】
すなわち、天井梁に吊り下げボルトが設けられ、この吊り下げボルトに螺合するナットにケーシングに設けられる吊り金具が掛合し、室内ユニットが吊持される。室内ユニットの高さ調整にあたって、前記開口部から吊り下げボルトに向ってソケットレンチ等の工具を挿入してナット操作を可能とし、化粧パネルを取外すことなく作業が行える。【０００５】
例えば、特開２００４−８５００２号公報に開示された空気調和機の室内機は、コーナーパネルの隅部にねじ孔を有する舌片部を設け、パネル本体の吸込み口近傍部位にねじ固定部を設けている。そして、前記舌片部をねじ固定部にねじ固定することにより、パネル本体隅部の開口部をコーナーパネルで閉成する技術が開示されている。
【発明の開示】
【０００６】
上述した特開２００４−８５００２号公報によれば、パネル本体隅部の開口部を開放すべくコーナーパネルを取外す際は、ねじ固定部に螺挿してある固定ねじを外したあと、コーナーパネルを化粧パネルの対角線方向にスライドすることにより可能としている。すなわち、固定ねじを外しただけで直ちにコーナーパネルが脱落しないよう、安全性が確保されている。
【０００７】
しかしながら、このような構成によると、開口部及びコーナーパネルの隅部を吸込み口の隅部に近接する位置まで設ける必要がある。化粧パネルに占めるコーナーパネルの面積が大きくなって、デザイン上の制約を受けるとともに、コーナーパネル間に形成される吹出し口の開口面積を充分に大きく取ることができない。
【０００８】
さらに、コーナーパネルをスライドすることで着脱が可能な構成であるので、スライド方向に例えば蛍光灯などがある場合は、これが障害物となってコーナーパネルの着脱ができなくなる。そればかりか、空気調和装置の室内ユニット自体の設置が不可能になるという問題があった。
【０００９】
そこで本発明は、デザイン上の選択肢を増やすとともに、設置場所に影響されずにコーナーパネルの着脱が行える空気調和装置の室内ユニットを提供することを目的としている。
【００１０】
上記目的を満足するため本発明の空気調和装置の室内ユニットは、下面が開口し内部に熱交換器、ドレンパン、送風機等を収容する室内ユニット本体と、この室内ユニット本体下面の開口部を閉成し室内に露出する化粧パネルとを具備し、前記化粧パネルは、中央部に吸込み口、周辺部に吹出し口が設けられる矩形状のパネル本体と、このパネル本体の各隅部に設けられる開口部と、この開口部に開閉自在に嵌め込まれるコーナーパネルと、このコーナーパネルをパネル本体の開口部に着脱するコーナーパネル着脱機構とを備え、前記コーナーパネル着脱機構は、中間部を支点としてパネル本体に揺動自在に取付けられ一方の端部に引掛け爪を有し他方の端部に操作ねじ孔を有する揺動部材と、この揺動部材の操作ねじ孔に螺合され所定方向へ回転することで揺動部材を傾斜させ引掛け爪でコーナーパネル端部をパネル本体表面から突出させて取外し可能とする操作ねじと、コーナーパネルに設けられ操作ねじを逆方向へ回転して揺動部材を逆傾斜させるのにともない引掛け爪に係合してコーナーパネルをパネル本体と同一面として取外し不可能とする係合孔とを具備する。
【図面の簡単な説明】
【００１１】
【図１】図１は、本発明における一実施の形態に係る、天井埋込み型空気調和装置の室内ユニットの斜視図である。
【図２】図２は、同実施の形態に係る、室内ユニット本体を分解した斜視図である。
【図３】図３は、同実施の形態に係る、室内ユニット本体の縦断面図である。
【図４】図４は、同実施の形態に係る、コーナーパネル着脱機構の要部を分解した斜視図である。
【図５】図５は、同実施の形態に係る、コーナーパネル着脱機構のさらに異なる要部の斜視図である。
【図６】図６は、同実施の形態に係る、パネル本体にコーナーパネルを嵌め込んだ状態の斜視図である。
【図７】図７は、同実施の形態に係る、図６からパネル本体を取外した状態の斜視図である。
【図８】図８は、同実施の形態に係る、図７の一部を拡大した斜視図である。
【図９】図９は、同実施の形態に係る、パネル本体からコーナーパネルを取外す過程の斜視図である。
【図１０】図１０は、同実施の形態に係る、図９からパネル本体を取外した状態の斜視図である。
【図１１】図１１は、同実施の形態に係る、図１０の一部を拡大した斜視図である。
【図１２】図１２は、同実施の形態に係る、パネル本体と吸込みグリルの一部断面図である。
【図１３】図１３は、同実施の形態に係る、図１２の一部を拡大した断面図である。
【発明を実施するための最良の形態】
【００１２】
以下、本発明の実施の形態を図面に基づいて説明する。【００１３】
図１は本発明の一実施の形態に係る天井埋込み型の空気調和装置の室内ユニット１を下面側から示す斜視図、図２は室内ユニット本体２の分解斜視図、図３は室内ユニット本体２の断面図である。【００１４】
空気調和装置の室内ユニット１は、室内側から天井板に設けられた取付け用開口部に挿入され、吊り下げボルト等を介して、いわゆる天井裏に吊持固定される室内ユニット本体２と、この室内ユニット本体２の下部に取付けられ天井板から室内側に露出する化粧パネル３とから構成される。  
前記室内ユニット本体２は、下面部全てが開口し、上面部と側面部に金属薄板を加工してなる板金製のケーシング４を備えている。このケーシング４の内周面には発泡スチロール材等を用いて成型される断熱材５が取付けられていて、室内ユニット本体２は断熱構造をなしている。【００１５】
前記ケーシング４内部の中央部には送風機６が配置され、この送風機６を囲むようにして平面視で四角枠状に一体形成された室内熱交換器７が取付けられている。なお、室内熱交換器７として平面視でＬ字状に形成された一対の熱交換器部からなるものが用いられる場合もある。室内ユニット本体２の隅部には、ドレンポンプ９が取付けられている。  
前記ケーシング４の下面開口部は、前記化粧パネル３によって閉成されている。この化粧パネル３は、例えば合成樹脂材から成型されて美麗に仕上げられており、天井板から室内に対して露出し、室内ユニット本体２周面と天井板の取付け用開口部との隙間を遮蔽する。【００１６】
前記送風機６は、ケーシング４の上面部に適宜な手段で取付け固定されるファンモータＭと、このファンモータＭの回転軸に取付けられるファンＦとからなる。前記ファンＦは、回転にともない回転軸方向から空気を吸込んで周方向へ吹出す送風作用をなす、多翼型ファンである。  
前記室内熱交換器７は、ファンＦの吹出し方向である周方向に対向して配置される。室内熱交換器７の下端部はケーシング４に設けられる四角枠状のドレンパン１０内に挿入され、室内熱交換器７の熱交換作用にともなって生成されるドレン水を受けことができる。前記ドレンポンプ９は、ドレンパン１０内のドレン水に浸漬するよう取付けられる。【００１７】
化粧パネル３と送風機ファンＦとの間にはベルマウス１２が設けられ、周囲をドレンパン１０で囲まれる。ベルマウス１２は、送風機ファンＦ側が小径で、化粧パネル３側が大径のホーン状の収斂部１２ａと、収斂部１２ａの大径側に一体に設けられる平坦部１２ｂと、平坦部１２ｂの一側方に隣設されるスリット部１２ｃを備えている。  
前記ドレンパン１０の平坦部１２ｂには、電気部品箱１３が取付けられている。この電気部品箱１３は、下面が開口され内部に制御用電気部品を実装した制御基板を収容する箱体１４と、この箱体１４の下面開口部を開閉自在に閉成する蓋板１５とからなる。前記箱体１４と蓋板１５のいずれも、金属薄板を加工した板金製である。【００１８】
ベルマウス１２の収斂部１２ａ大径側には、ファンガード１６が取付けられる。このファンガード１６を備えたことで、メンテナンス作業にともない化粧パネル３を取外した状態であっても、送風機６を構成するファンＦに直接手が触れることがなく安全性が確保されている。  
前記化粧パネル３は、外形が矩形状のパネル本体３Ａを備えており、この中央部には矩形状の吸込み口１７が開口されている。吸込み口１７は前記ドレンパン１０の内側面とほぼ対向する面積形状に設けられ、フィルタを支持する吸込みグリル１８が着脱自在に嵌め込まれている。【００１９】
前記吸込みグリル１８は、吸込み口１７における室内空気の流通を可能としながら、吸込み口１７からケーシング４内部に対する遮蔽をなす。メンテナンス時には、吸込みグリル１８とともにフィルタを取外すことができ、室内床上でのフィルタ及び吸込みグリル１８の掃除が可能である。  
前記吸込み口１７の各辺部に沿って吹出し口１９が設けられる。各吹出し口１９は幅方向に対して長手方向が極端に細長い形状をなし、４ヶ所設けられる。各吹出し口１９は、ドレンパン１０の外側面とケーシング４の内側面に取付けられる断熱材５との間隙に対向して設けられ、それ自体が外方へ曲成される。【００２０】
各吹出し口１９にはルーバ機構のルーバＲが取付けられていて、化粧パネル３周辺の広い範囲へ熱交換空気を吹出し案内する。パネル本体３Ａの四隅部には、それぞれ矩形状の高さ調整用開口部２０が設けられ、これら高さ調整用開口部２０にはコーナーパネル２１が着脱自在に取付けられる。  
前記パネル本体３Ａとコーナーパネル２１は、同一の合成樹脂材で成型され、同一色をなし、同一状態に仕上げられている。コーナーパネル２１の裏面側とパネル本体３Ａの裏面側に亘って、コーナーパネル２１を高さ調整用開口部２０に対して着脱自在とする、後述するコーナーパネル着脱機構Ｋが設けられている。【００２１】
一方、前記ケーシング４は天井裏を構成する梁から垂下された４本の吊り下げボルトに吊持されている。すなわち、ケーシング４側面のコーナー部に、水平方向外側へ突出する吊り金具２２Ａが取付けられ、この吊り金具２２Ａに設けられた長孔ｄに吊り下げボルトを挿通し、この挿通部分の下側にナットを螺着する。  
これにより、ナットの上面に吊り金具２２Ａが載り、ケーシング４が４箇所において吊り下げボルトに吊持される。また、ナットの吊り下げボルトに対する螺着位置を調整することによって、ケーシング４の吊り下げ高さ調整が可能である。この作業は、前記コーナーパネル２１を取外し、高さ調整用開口部２０に工具を挿入して行う。【００２２】
前記吊り金具２２Ａは、スポット溶接等の手段でケーシング４に取付けられる略コ字状の金具本体２２の上端部に折曲形成される。金具本体２２の下端部には取付け用金具２２Ｂが折曲形成されていて、これは化粧パネル３とドレンパン１０をケーシング４に取付け固定するためのものである。  
第１の金具２４及び第２の金具２５が、前記ドレンパン１０にインサートされ、かつそれぞれの一部が露出している。第１の金具２４はドレンパン１０をケーシング４に取付け固定するためのものであり、第２の金具２５はドレンパン１０にベルマウス１２及び電気部品箱１３を取付けるためのものである
このように構成された天井埋込み型の空気調和装置の室内ユニット１において、送風機６が駆動されることにより、空内空気が吸込みグリル１８とフィルタを介して吸込み口１７に吸引される。そして、ベルマウス１２に案内されて送風機６の回転軸方向から吸込まれ、周方向へ吹出される。  
周方向へ吹出された室内空気は、室内熱交換器７を流通して熱交換され、冷房運転時には冷気に変り、暖房運転時には暖気に変る。この熱交換空気は、室内熱交換器７と断熱材５との間隙に沿って導かれ、化粧パネル３に形成される複数の吹出し口１９から室内へ吹出される。【００２３】
したがって、天井板に取付けられる空気調和装置の室内ユニット１から室内へ熱交換空気が均等に吹出されることとなり、室内に対する空調作用が効率よく行われる。  
つぎに、前記コーナーパネル着脱機構Ｋについて詳述する。  
図４はコーナーパネル着脱機構Ｋの一部を省略した分解斜視図、図５はコーナーパネル着脱機構Ｋの一部の斜視図であり、各図とも、室内ユニット１を吊下げボルトで吊持する状態とは上下を逆にして示している。  
前記化粧パネル３を構成するパネル本体３Ａは、隅部に高さ調整用開口部２０が設けられてコーナーパネル２１が嵌め込まれ室内へ露出する露出面ａ（図１に示す）と、この露出面ａとは所定の間隔を存して対向しコーナーパネル着脱機構Ｋが取付けられるベース面を備えている。【００２４】
前記コーナーパネル着脱機構Ｋは、一部が吸込み口１７の隅部へ突出するようベース面上に取付け固定されるコーナー基台３０を備えている。コーナー基台３０上には揺動部材収容部３１が一体に形成されていて、この一端部は吸込み口１７の部から突出し、他端部は前記高さ調整用開口部２０の隅部と対向する位置に亘って設けられる。  
前記揺動部材収容部３１は、平面視で矩形状をなし、幅方向及び長手方向の両側に縦壁を有して凹陥状に形成される。底面略中央位置には、ねじ固定部３２が一体に突設されていて、これは軸心に沿ってねじ孔ｅが設けられるボス部３２ａと、このボス部３２ａの基端部に一体に設けられ幅方向に沿って半円状に突出する受け部３２ｂとからなる。【００２５】
前記揺動部材収容部３１におけるねじ固定部３２から高さ調整用開口部２０側へ所定間隔を存した位置に取付け用ボス部３３が設けられている。この取付け用ボス部３３は、コーナー基台３０をパネル本体３Ａに取付ける取付け用ねじが挿通するためのものであり、後述するコーナーパネル着脱機構Ｋの作用とは少しの係り合いもない。  
揺動部材収容部３１を形成する吸込み口１７側の縦壁ｆには、ねじ操作部３５が一体に形成されている。このねじ操作部３５は、幅方向の両側縦壁と、長手方向の一側部である吸込み口１７側の縦壁ｆとに亘って設けられていて、ねじ操作部３５の下面は揺動部材収容部３１底面と間隙を存している。【００２６】
前記ねじ操作部３５上には、軸芯に沿ってねじ挿通用孔ｇを備えたボス部３５ａが設けられる。前記ねじ挿通用孔ｇはボス部３５ａの上下端面を貫通して設けられる。一方、揺動部材収容部３１の前記ねじ操作部３５と対向する長手方向の他側部には、何らの部材も設けられていないばかりか、端面を形成する縦壁ｈの上部側が切欠されている。  
このような揺動部材収容部３１には、揺動部材３６が収容される。揺動部材３６の幅方向寸法と長手方向寸法は、揺動部材収容部３１内に余裕をもって嵌り込むように設計されている。特に、吸込み口１７側の端部は、揺動部材収容部３１底面とねじ操作部３５下面との間隙に挿入可能となっている。【００２７】
前記揺動部材収容部３１の略中間部には、長手方向に沿って長円状の固定用ねじ孔３７が設けられ、この固定用ねじ孔３７の両側部に半円状の支点リブ３６ａが設けられる。前記支点リブ３６ａは揺動部材収容部３１の長手方向に沿って設けられていて、前記揺動部材収容部３１の固定ボス部３２を形成する受け部３２ｂの半円状方向と一致する。  
固定用ねじ孔３７から高さ調整用開口部２０側へ所定間隔を存した位置に、長手方向に長孔状のボス逃げ孔３８が設けられる。このボス逃げ孔３８は、揺動部材３６を揺動部材収容部３１に取付けた状態で前記取付け用ボス部３３に挿通され、よってボス部３３は揺動部材３６の揺動動作を規制しない。【００２８】
前記揺動部材３６の一端部には、操作ねじ孔４０が設けられる。操作ねじ孔４０は、揺動部材３６の一端部を揺動部材収容部３１底面とねじ操作部３５下面との間隙に挿入し、かつ揺動部材３６の位置を調整することにより、前記ねじ操作部３５に設けられるねじ挿通用孔ｇと連通する位置にある。  
揺動部材３６の他端部には、引掛け爪４１を備えた引掛け片４２が一体に形成される。引掛け片４２は揺動部材３６端部の縦壁から上方に突出していて、この内側面に一対の補強リブ３６ｂが設けられる。前記引掛け爪４１は引掛け片４２の上端部に沿って設けられていて、揺動部材３６端面から外側である高さ調整用開口部２０側へ突出する。【００２９】
さらにコーナーパネル着脱機構Ｋとして、座金４３を嵌め合わせたうえに、ねじ操作部３５のねじ挿通用孔ｇを介して揺動部材３６の操作ねじ孔４０に螺挿する操作ねじ４４と、座金４５を嵌め合わせたうえに、揺動部材収容部３１に設けられるねじ固定部３２のねじ孔ｅに螺合する固定ねじ４６がそれぞれ必要である。  
さらに、揺動部材３６とねじ操作部３５を形成する縦壁ｆに嵌り合う、略コ字状に折曲形成されたねじ押え金具４８が必要である。前記ねじ押え金具４８の上部側折曲片は押え部４８ａとなっていて、この押え部４８ａの先端縁から折曲部近傍まで凹状の切欠部４９が設けられる。【００３０】
さらに、図５に示すように、吸込み口１７隅部と対向するコーナーパネル２１の隅部下面に、一体に設けられる係止片５０が必要である。前記係止片５０には、揺動部材３６に設けられる引掛け爪４１と係合可能な係合孔５１が設けられる。そして、係合孔５１の上端とコーナーパネル２１下面との間に亘って一対のリブ５２が形成される。【００３１】
このようにして構成されるコーナーパネル着脱機構Ｋは、以下に述べるように組立てられる。  
はじめに、揺動部材３６の操作ねじ孔４０側端部を、揺動部材収容部３１とねじ操作部３５との間隙に挿入する。これにより、固定用ねじ孔３７がねじ固定部３２のボス部３２ａに挿入し、ボス部３２ａは揺動部材３６内に突出する。揺動部材３６は受け部３２ｂ上に載り、ボス逃げ孔３８が取付け用ボス部３３に挿入する。【００３２】
揺動部材３６の位置を微調整して、操作ねじ孔４０をねじ操作部３５のねじ挿通用孔ｇに正しく位置合せし、座金４３を嵌め合わせた操作ねじ４４をねじ挿通用孔ｇを介して操作ねじ孔４０に螺合する。したがって、座金４３がボス部３５ａ上端面に載り、揺動部材３６の一端部が持ち上がっていく。  
そのまま操作ねじ４０を締め上げれば、揺動部材３６の一端部がねじ操作部３５の下面に密着するが、組立て時においては操作ねじ４０を緩い程度に締める。揺動部材３６の一端部が、揺動部材収容部３１の底面とねじ操作部３５の下面との間で上下方向に変位自在となる。【００３３】
この状態では前記揺動部材３６の底面略中央部が受け部３２ｂ上に載っているので、この部位を支点として揺動部材３６の両側端部がいわゆるシーソー状に揺動自在となる。さらに、固定ねじ４６に座金４５を嵌め合わせたうえで、固定ねじ４６を揺動部材収容部３１のボス部３２ａに設けられるねじ孔ｅに螺合する。  
座金４５はボス部３２ａ上端面に載る。固定ねじ４６を締め付けると、座金４５は固定ねじ４６頭部とボス部３２ａとの間に固定される。この状態で、支点リブ３６ａの最上端は前記座金４５と若干の隙間があり、揺動部材３６は座金４５と受け部３２ｂとの間で変位可能である。【００３４】
最後に、ねじ押え金具４８を揺動部材収容部３１とねじ操作部３５で形成される縦壁ｆに嵌め込む。ねじ押え金具４８の押え部４８ａに設けられる凹状切欠部４９は操作ねじ４４の頭部を左右から挟み込み、押え部４８ａが座金４３上に載る。結果的に、ねじ押え金具４８は縦壁ｆとともに操作ねじ４４を押さえ込む。  
前記操作ねじ４４はねじ押え金具４８によって上下方向の移動が規制され、操作ねじ４４に対する回転操作を行っても、操作ねじ３３自体は進退ができなくなる。代って、操作ねじ４４に螺合する操作ねじ孔４０を備えた揺動部材３６一端部が、操作ねじ４４の回転方向に応じて進退する。【００３５】
つまり、操作ねじ４４を締める方向に回転すると、揺動部材３６は受け部３２ｂを支点として操作ねじ孔４０が設けられる一端部が上がり、引掛け片４２が設けられる他端部が下がる。逆に、操作ねじ４４を緩める方向に回転すると、揺動部材３６の一端部が下がり、他端部が上がってシーソー状をなす。  
つぎに、前記コーナーパネル着脱機構Ｋの作用について説明する。  
図６はパネル本体３Ａにコーナーパネル２１を取付けた状態の一部斜視図、図７は図６からパネル本体３Ａを取除いて示す図、図８は図７の一部拡大図、図９はコーナーパネル２１一部がパネル本体から飛び出した状態の一部斜視図、図１０は図９からパネル本体３Ａを取除いて示す図、図１１は図１０の一部拡大図である。【００３６】
全て実際の室内ユニット１の吊持状態とは上下方向を逆にして示しており、混乱を避けるために各図の状態を元にして説明をなす。したがって、実際には説明と上下逆の動作をなす。  
図６に示すように、パネル本体３Ａから吸込みグリル１８を取外して吸込み口１７を露出させると、吸込み口１７の隅部にコーナーパネル着脱機構Ｋの一部であるねじ操作部３５が突出して見える。具体的には、図７に示すように、ねじ押え金具４８の押え部４８ａと、凹状切欠部４９で左右が挟まれている操作ねじ４４の頭部が露出する。【００３７】
図７に示すように、コーナーパネル２１の係止片４２が設けられる隅部とは対角線上にある隅部（以下、「第１の隅部」と呼ぶ）に第１の突起部５５が設けられ、残りのパネル本体３Ａ周縁部側に形成される２つの隅部（以下、「第２の隅部」と呼ぶ）に第２の突起部５６が設けられている。  
これら第１、第２の突起部５５，５６が設けられる第１、第２の隅部に対向する高さ調整用開口部２０の隅部周壁には孔部が設けられている。第１、第２の突起部５５，５６の全てが孔部に係合することで、図６に示すように、コーナーパネル２１は高さ調整用開口部２０を完全に閉成する。【００３８】
コーナーパネル２１をパネル本体３Ａの高さ調整用開口部２０に取付けるには、以下に述べるような作業を行う。  
図９に示すように、コーナーパネル２１の第１の隅部にある第１の突起部５５を高さ調整用開口部２０周壁の孔部に差込む。そして、コーナーパネル２１を高さ調整用開口部２０に嵌め込む方向に押し付けると、図５と図９〜図１１に示すように、コーナーパネル２１のリブ５２下端が引掛け片４２上端に当接し、それ以上の押付けが規制される。このとき、引掛け爪４１が係合孔５１に浅く係合する。  
コーナーパネル２１はパネル本体３Ａに対して斜め姿勢となり、第２の突起部５６がパネル本体３Ａから浮いて見える。さらに、コーナーパネル２１のリブ５２と係止片５０の一部及び、引掛け片４２の一部と引掛け爪４１が、パネル本体３Ａとコーナーパネル２１との間から覗ける隙間が形成される。【００３９】
つぎに、吸込み口１７の隅部に露出している操作ねじ４４に工具を当て、操作ねじ４４を締める方向に回転操作する。  
すると、ねじ押え金具４８によって操作ねじ４４の進退が規制される一方で、操作ねじ４４に螺合するねじ孔４０を備えた揺動部材３６が揺動付勢される。揺動部材３６のねじ孔４０側端部が引き上げられてねじ操作部３５下面に接近し、引掛け片４２が揺動部材収容部３１底面に接近するよう、揺動部材３６が傾く。【００４０】
引掛け爪４１が係合孔５１に係合していくとともに引掛け片４２と一体に引き下がり、係止片５０及びコーナーパネル２１の隅部を高さ調整用開口部２０方向へ引き込む。さらに、操作ねじ４４に対する締め付け操作を継続すると、引掛け爪４１が係合孔５１内に深く侵入し、コーナーパネル２１は確実に係止される。  
ついには、図６〜図８に示すように、コーナーパネル２１は高さ調整用開口部２０に完全に嵌り込み、コーナーパネル２１における第２の突起部５６が高さ調整用開口部２０周壁の孔部に係合する。コーナーパネル２１はパネル本体３Ａと同一面に確実に固定され、パネル本体３Ａ面からのコーナーパネル２１の取外しが不可能となる。【００４１】
必要に応じてコーナーパネル２１をパネル本体３Ａから取外すには、以下に述べるようにして行う。  
はじめ図６に示すように吸込み口１７を開放し、この隅部にコーナーパネル着脱機構Ｋのねじ操作部３５を露出させる。そこで、操作ねじ４４に工具を当てて、操作ねじ４４を緩める方向に回転操作する。揺動部材３６は揺動して、操作ねじ孔４０側の端部が引き下げられ、引掛け片４２側の端部が高さ調整用開口部２０側へ引き上げられる。  
それにともない、引掛け爪４１は係合孔５１を介して係止片５０を上昇移動させ、コーナーパネル２１の第２の隅部はパネル本体３Ａ面から離間する方向に浮き上がっていく。コーナーパネル２１が傾いて一部がパネル本体３Ａから突出し、第２の突起部５６が孔部から抜け出る。第１の隅部における第１の突起部５５は孔部にそのまま係合している。【００４２】
操作ねじ４４に対する回転操作を継続すると、ついには図９〜図１１に示すように、揺動部材３６が最も傾き、引掛け爪４１の係合孔５１に対する係合が浅くなる。この状態でもなお、第１の突起部５５は孔部と係合していて、コーナーパネル２１は一部が高さ調整用開口部２０から抜け出て斜め姿勢となる。  
すなわち、コーナーパネル２１はパネル本体３Ａに対してわずかな係止力で支持されているにすぎない。コーナーパネル２１をパネル本体３Ａから離間する方向に引張れば、係合孔５１が引掛け爪４１から抜け出るとともに、第１の突起部５５が孔部から抜け出て、コーナーパネル２１をパネル本体３Ａから取外すことができる。【００４３】
以上説明した作業は、実際に天井板から露出する化粧パネル３を見上げた状態で行うこととなり、したがって操作ねじ４４に対する操作も見上げて行う。このとき、操作ねじ４４はねじ押え金具４８に押さえ付けられるので作業途中で脱落することはなく、作業性がよい。当然ながら、揺動部材３６及び他の構成部品の脱落は全くない。【００４４】
上述のコーナーパネル着脱機構Ｋを採用することにより、従来のようにコーナーパネルを対角線上に沿ってスライドさせることなく着脱できるので、作業性の向上とともにデザイン上の選択肢が増えて有利である。  
さらに、従来のようにコーナーパネルに舌片部を設けてねじ固定する場合は、強度的な問題から舌片部を長くすることができない。そのため、パネル本体の高さ調整用開口部と吸込み口との間のブリッジ部分を広く設定することができず、デザイン的ばかりでなくパネル本体における強度的な不利となっていた。【００４５】
これに対して上述のコーナーパネル着脱機構Ｋを採用すれば、パネル本体３Ａの高さ調整用開口部２０と吸込み口１７との間のブリッジ部分を広く設定することができ、パネル本体３Ａの強度的な増大化を図れて有利である。  
つぎに、化粧パネル３の吸込み口１７に取付けられる吸込みグリル１８とパネル本体３Ａとの関連構成について説明する。  
図１２は化粧パネル３の吸込みグリル１８から吹出し口１９に亘って断面にした斜視図であり、図１３はその一部の拡大図であり、実際の室内ユニット１の吊持状態に合せて描いている。【００４６】
吸込み口１７のパネル本体３Ａ表面側で周縁に沿い、周面から外側に屈曲する段部６０が設けられる。吸込みグリル１８は、表面側周縁に沿って延出部１８ａが外側へ一体に突出形成される。吸込み口１７に吸込みグリル１８を嵌め込んだ状態で、吸込みグリル１８の延出部１８ａはパネル本体３Ａの段部６０に挿入する。  
このことにより、吸込みグリル１８を見上げた状態で、延出部１８ａが吸込み口１７と吸込みグリル１８との間隙を遮蔽する。吸込みグリル１８とパネル本体３Ａとの合わせ目が、段部６０の段差にしか感じられなくなり、吸込みグリル１８が外観的に極めて薄いイメージになって美観の向上化を得られる。【００４７】
実質的に、吸込み口１７と吸込みグリル１８との間隙が狭くなり、この間隙から空気が吸込まれ難くなる。すなわち、吸込みグリル１８に取付けられるフィルタを通過しない空気の量が低減して、フィルタにおける塵埃捕捉効率の向上を得られる。【００４８】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【産業上の利用可能性】
【００４９】
本発明によれば、デザイン上の選択肢を増やすとともに、設置場所に影響されずにコーナーパネルの着脱が可能となる。
【図１】
0004582817.tif 000002
【図２】
0004582817.tif 000003
【図３】
0004582817.tif 000004
【図４】
0004582817.tif 000005
【図５】
0004582817.tif 000006
【図６】
0004582817.tif 000007
【図７】
0004582817.tif 000008
【図８】
0004582817.tif 000009
【図９】
0004582817.tif 000010
【図１０】
0004582817.tif 000011
【図１１】
0004582817.tif 000012
【図１２】
0004582817.tif 000013
【図１３】
0004582817.tif 000014